(57)【要約】      （修正有）【課題】共同溝ボックス内のクロージャ下降位置と接続・分岐作業が行なわれる共同溝ボックス上方（地面上）のクロージャ上昇位置との２箇所でクロージャをそれぞれ安定させて支持できるようにする。【解決手段】左右の支持部材１，１と、両支持部材１にそれぞれ取り付けられる受け金物１１を備え、両支持部材１の前面部１ａには受け金物１１の基部１１ａに設けた固定部が嵌合して掛け止め可能である複数個の嵌合穴２が設けられ、両支持部材１は上下両端寄りの２箇所で下向きコの字断面形の連結嵌合部材３，４により離間して連結され、連結嵌合部材３，４には、前面部３ａ，４ａの中央部分に臨むようにして、内側に支持枠がそれぞれ固定されている。【選択図】  図１
2004343979.tif 000002
【特許請求の範囲】
【請求項１】
左右一対の支持部材と、この左右の支持部材にそれぞれ取り付けられる受け金物とを備え、両支持部材の前面部には受け金物の基部に設けられている固定部が嵌合して掛け止め可能である複数個の嵌合穴が設けられていると共に、該両支持部材は上下両端寄りの２箇所で下向きコの字断面形である上下の両連結嵌合部材により離間して連結され、両連結嵌合部材には、前面部の中央部分に臨むようにして、内側に支持枠がそれぞれ固定されており、その支持枠には、戻しばねを介在させて、先端部側が支持枠より突出自在とされている止めピンが横方向移動可能に横架され、止めピンの基端部側は上記両連結嵌合部材の前面部よりそれぞれ外出していることを特徴とする電線共同溝のクロージャ用支持装置。
【請求項２】
支持部材の上下両端寄りの２個所に下向きコの字断面形である上下の両嵌合部材がそれぞれ取り付けられ、支持部材の内側には、両嵌合部材の前面部の中央部分に臨むようにして、支持枠がそれぞれ固定されており、その支持枠には、戻しばねを介在させて、先端部側が支持枠より突出自在とされている止めピンが横方向移動可能に横架され、止めピンの基端部側は上記両嵌合部材の前面部よりそれぞれ外出し、上記支持部材の前面部には所要の高さの位置に開口部を設けて、この開口部にクロージャを支持するための嵌着部が設けられていることを特徴とする電線共同溝のクロージャ用支持装置。
【請求項３】
受け金物は、クロージャを載置する水平板部と次第に先細く形成されている左右の袖部を備え、固定部は支持部材の嵌合穴に嵌合して掛け止め自在である大径部分と小径部分よりなることを特徴とする請求項１記載の電線共同溝のクロージャ用支持装置。
【請求項４】
支持部材はコの字断面形の金物であることを特徴とする請求項１又は２記載の電線共同溝のクロージャ用支持装置。
【請求項５】
止めピンには、支持枠の中央板部に設けられている止めピンの移動位置規制用の鍵穴に係入して、該止めピンとともに移動する鍵板が設けられていることを特徴とする請求項１又は２記載の電線共同溝のクロージャ用支持装置。
【請求項６】
開口部は上下２段にわたって設けられていることを特徴とする請求項２記載の電線共同溝のクロージャ用支持装置。
【発明の詳細な説明】
【０００１】
【発明の属する技術分野】
本発明は、地下に敷設された通信ケーブル等の電線を各家庭へ個別に引き込むために電線共同溝の共同溝ボックス内に設けられる、電線共同溝のクロージャ用支持装置に関する。
【０００２】
【従来の技術】
通信ケーブル等の電線を各家庭へ個別に引き込むために電線共同溝は歩道部分の地中に設けられるのが普通であって、図１２に示すように電線共同溝の共同溝ボックス３１内には型式の異なる接続・分岐用クロージャＣ１，Ｃ２が設置されている。そして、各クロージャの接続・分岐作業は作業員が共同溝ボックス内に入って行うため、共同溝ボックス３１はその分だけ大型化するのは避けられない。通常、共同溝ボックス３１は、クロージャを載せて固定するための受け金物３２の長さ２５０ｍｍに作業空間として幅５００ｍｍを加えた、７５０ｍｍが最小幅として設計されている。なお、クロージャは共同溝ボックス３１の内壁面部に固定した平鋼製の取り付け部材３３に上記受け金物３２を介して取り付けられている。
【０００３】
【発明が解決しようとする課題】
一方、歩道部分には水道管やガス管等が埋設されており、大型化している共同溝ボックスを設ける際にはこれらの埋設物が障害となる。そのため、歩道部分に共同溝ボックスを設ける際にはそれらを移転させる必要が生じて、工期の長期化と相俟って共同溝ボックスの施工コストに大きな影響を与えることになる。そこで、共同溝ボックス内でのクロージャの接続・分岐作業に代えて、作業員は地上側にいて作業ができるようにすれば、共同溝ボックスは作業員が入って作業を行なうために必要なスペース分だけ小さくすることが可能になるという知見に基づいて、当業者間においてはこれを実現するための多くの試みがなされてきた。
【０００４】
その試みの一つとして、クロージャを共同溝ボックス内の設置個所から上方へ引き上げ、その地面上の引き上げ位置にクロージャを支持して、作業員は地上側にいてクロージャの接続・分岐作業ができるようにする方法が提案されている。この方法によれば、クロージャが設置される共同溝ボックス内のクロージャ下降位置と接続・分岐作業が行なわれる共同溝ボックス上方（地面上）のクロージャ上昇位置との２箇所においてクロージャをそれぞれ安定させて支持できるようにする支持装置が当然必要である。
【０００５】
そこで、本発明の目的は、作業員が地上側にいてクロージャの接続・分岐作業ができ、共同溝ボックスを可及的に小型化（因みに、共同溝ボックスの最小幅は４００ｍｍ程度に削減可能）する上に有効であるように、クロージャを前述した上下２箇所においてそれぞれ安定させて支持することができる新規な電線共同溝のクロージャ用支持装置を提供することにある。なお、本発明は共同溝ボックス内に設置されるクロージャの大きさや重量に対応できるさ支持部材を備えた各各専用の支持装置を提供するものである。
【０００６】
【課題を解決するための手段】
上記目的を達成するために、請求項１の発明の特徴とする電線共同溝のクロージャ用支持装置は、左右一対の支持部材と、この左右の支持部材にそれぞれ取り付けられる受け金物を備え、両支持部材の前面部には受け金物の基部に設けられている固定部が嵌合して掛け止め可能である複数個の嵌合穴が設けられていると共に、該両支持部材は上下両端寄りの２箇所で下向きコの字断面形である上下の両連結嵌合部材により離間して連結され、両連結嵌合部材には、前面部の中央部分に臨むようにして、内側に支持枠がそれぞれ固定されており、その支持枠には、戻しばねを介在させて、先端部側が支持枠より突出自在とされている止めピンが横方向移動可能に横架され、止めピンの基端部側は上記両連結嵌合部材の前面部よりそれぞれ外出している構成である。
【０００７】
また、請求項２の発明の特徴とする電線共同溝のクロージャ用支持装置は、支持部材の上下両端寄りの２個所に下向きコの字断面形である上下の両嵌合部材がそれぞれ取り付けられ、支持部材の内側には、両嵌合部材の前面部の中央部分に臨むようにして、支持枠がそれぞれ固定されており、その支持枠には、戻しばねを介在させて、先端部側が支持枠より突出自在とされている止めピンが横方向移動可能に横架され、止めピンの基端部側は上記両嵌合部材の前面部よりそれぞれ外出し、上記支持部材の前面部には所要の高さの位置に開口部を設けて、この開口部にクロージャを支持するための嵌着部が設けられている構成である。
【０００８】
そして、請求項１の発明の構成において、支持部材への受け金物の取り付けが容易強固にできるように、受け金物はクロージャを載置する水平板部と次第に先細く形成されている左右の袖部を備え、固定部は支持部材の嵌合穴に嵌合して掛け止め自在である大径部分と小径部分により構成されている。また、請求項１及び２の発明の構成において、支持部材はコの字断面形の金物であることが強度的に好ましい。
【０００９】
更に、共同溝ボックスの内壁面部に固定されている取り付け部材（平鋼製）の止め穴に対する止めピンの係脱操作が容易確実にできるように、止めピンには、支持枠の中央板部に設けられている止めピンの移動位置規制用の鍵穴に係入して、該止めピンとともに移動する鍵板が設けられており、上下いずれかの嵌合連結部材または嵌合部材が上記取り付け部材に嵌合している時、上記止め穴への止めピンの挿入によって、クロージャを支持する支持部材は上下２箇所の昇降位置で安定した支持状態に置かれる仕組になっている。
【００１０】
更にまた、請求項２の発明における開口部は上下２段にわたって設けられていることが好ましく、これによってクロージャをより安定させて支持できる。この両開口部はクロージャ側の支持金物を上下２箇所で嵌め外しできる嵌着部として機能している。なお、請求項１の発明は比較的大型で重量もあるクロージャの支持装置として、また請求項２の発明はそれより小型で軽量のクロージャの支持装置として用いられる。
【００１１】
【発明の実施の形態】
以下に、本発明の実施の形態を図面を参照して説明する。先ず、請求項１の発明を説明するための図１〜図６において、１はクロージャの支持に用いるコの字断面形の支持部材（長さ６２０ｍｍ程度の金物）で、前面部１ａには後述する受け金物の固定部が嵌合して掛け止め可能である複数個の嵌合穴（ダルマ穴）２が中心線上に沿って設けられている。左右一対の支持部材１，１は上下両端の２箇所で下向きコの字断面形である上下の連結嵌合部材（長さ２６０ｍｍ程度の金物）３，４により離間（１４０ｍｍ）して連結されている（ねじ止め等による）。
【００１２】
連結嵌合部材３，４には、前面部３ａ，４ａの中央部分に臨むようにして、内側にコの字断面形である支持枠５がそれぞれ固定されており（ねじ止め等による）、その支持枠５の左右両側板部５ｂには、戻しばね６を介在させて、先端部７ａ側が支持枠５より突出自在とされた止めピン７が横方向移動可能に横架されている。止めピン７の基端部７ｂ側は連結嵌合部材３，４の前面部３ａ，４ａより外出して、端面部には止めピン操作用の摘み８が取り付けられている（ねじ止め等による）。
【００１３】
なお、上側の連結嵌合部材（上面部３ｂの幅は５２ｍｍ程度）３は支持部材１，１の上端部にそのまま嵌合して連結ができるが、下側の連結嵌合部材（上面部４ｂの幅は３８ｍｍ程度）４は、支持部材１の両袖部１ｂの下端部寄り部分を一部切り落として該切り落とし部１ｃに対応した切り欠き４ｃを連結嵌合部材４の上面部４ｂの両端部側に設けて、支持部材１，１と連結させる（図４を参照）。
【００１４】
支持枠５の中央板部５ａには片側に偏在させてＬ字状である止めピンの移動位置規制用の鍵穴９が設けられており、この鍵穴９には止めピン７に固定して設けられている鍵板１０が突片１０ａの部分で緩く係入している。図示の場合、止めピン７は２分割されていて、両ピン部材間にねじ止め等により挟着されている。戻しばね６は、止めピン７に嵌装した状態で、支持枠５の側板部５ｂと鍵板１０との間に掛け止められており、常時は止めピン７を前進方向へ付勢している。
【００１５】
即ち、止めピン７の先端部７ａは、図６に示すように常時は戻しばね６の押圧作用により前進して、共同溝ボックスの内壁面部（図示せず）に沿って固設された水平方向へ延びる平鋼製の取り付け部材３０に設けられている止め穴３０ａに挿入されている。摘み８を戻しばね６に抗して引っ張り、止めピン７を手元側に後退させて、その後退位置で摘み８をまわして鍵板１０の突片１０ａを鍵穴９の掛け止め位置９ａに移せば、止めピン７は上記取り付け部材３０の止め穴３０ａから引き出した解放状態に保持される。
【００１６】
１１は支持部材１の嵌合穴２に取り付けられてクロージャ（図示省略）を支持する受け金物であって、クロージャを載置する水平板部１２ａと次第に先細く形成されている左右の袖部１２ｂを備えている。この受け金物１１の基部１１ａに設けられる固定部１３は、上記嵌合穴２に嵌合して掛け止め自在である、大径部分１３ａと小径部分１３ｂにより構成されており、先ず、大径部分１３ａを嵌合穴２の大径部に挿通し、小径部分１３ｂを嵌合穴２の小径部に位置させて降下させれば、固定部１３は嵌合穴２の下半部分を形成する小径部に掛け止められて、受け金物１１を支持部材１に取り付けることができる。
【００１７】
以上の実施の形態は、止めピン７の支持枠５とその関連部材は上下の両連結嵌合部材３，４に共通して設けられる基本的には同一構成のものとして説明したが、本支持装置を共同溝ボックスの内壁面部に安定させて取り付けることができて、かつ該内壁面部に沿わせて支障なく昇降させることができるように、下側の連結嵌合部材４に取り付ける支持枠５は上側の連結嵌合部材（上面部３ｂの幅は５２ｍｍ程度）３の支持枠５と比較し幅を小さくして（例えば、上面部４ｂの幅は１５ｍｍ程度小さくする）実施するのが好ましく、このために下側の連結嵌合部材４に取り付ける支持枠５とその関連部材もそれに対応できるようにする。
【００１８】
この対応する形態を、下側の連結嵌合部材４に取り付けられる支持枠と関連部材の符号にダッシュ「′」を付して、図３を参照しながら説明する。先の形態の部材と同一部材については同一符号を用いてその説明を省略する。上側の連結嵌合部材３に取り付けた支持枠５の中央板部５ａより幅を小さく（１２ｍｍ程度）した支持枠５′の中央板部５′ａには、そのほぼ全幅にわたって、Ｌ字状である止めピン移動位置規制用の鍵穴９′が設けられており、一端部が鍵板１０に掛け止められている戻しばね６′の他端部は支持枠５′の側板部５′ａを貫通して連結嵌合部材４の前面部４ａから突出し、その前面部４ａに固定されている（ねじ止め等による）バネ抑え１４に掛け止められている。
【００１９】
次に、請求項２の発明を説明する。図７〜図１１において、１５は１個だけでクロージャの支持に用いられるコの字形断面形の支持部材（長さ６００ｍｍ程度の金物）であって、支持部材１５の上下両端よりの２個所には下向きコの字断面形である嵌合部材（長さ１２０ｍｍ程度の金物）１６，１７が取り付けられている（ねじ止め等による）。支持部材１５の内側には、両嵌合部材１６，１７の前面部１６ａ，１７ａの中央部分に臨むようにして、請求項１の発明の実施の形態で説明した支持枠と同じ構成の支持枠がそれぞれ取り付けられており、これに設けられる戻しバネ、止めピン、鍵板等の関連部材及びそれらの機能については、支持部材１５と両嵌合部材１６，１７との結合を含めて請求項１の発明の実施の形態のものと同じであるから、それらの説明については先の実施の形態の説明を援用して省略する。
【００２０】
支持部材１５の前面部１５ａには所要の高さ位置に開口部〔（１３８×９０）ｍｍ程度〕１８が設けられており、この開口部１８は、内向きに曲げた当接縁１９ａを有する嵌着金物１９を下側の口縁に取り付けることによって、仮想線により示すクロージャ側に設けられる下向きコの字断面形の支持金物２８を嵌め外しできる嵌着部２０として機能している。支持金物２８は、嵌着部２０に嵌めた後で、ねじ２８ａ締めによって嵌着金物１９に締着する（図９を参照）。ここで、所要の高さ位置とは、共同溝ボックス内の所定位置にクロージャを支持できるようにする高さである。
【００２１】
また、図１０に示すように、上記開口部１８は上下２段にわたって設けられた開口部２１，２２として実施することもできる。この実施の形態では、上段の開口部２１〔（８８×４０）ｍｍ程度〕には内向きに曲げた当接縁２３ａを有する嵌着金物２３が、また下段の開口部２２〔（１７５×４０）ｍｍ程度〕にはコの字断面形の嵌着金物２４がそれぞれ取り付けられており、開口部２１，２２は、クロージャ側に設けられた支持金物２９の上下に形成されている２個の支持部２９ａ（かぎ部），２９ｂ（雌部）をそれぞれ嵌め外しできる嵌着部２５として機能している（図１１を参照）。
【００２２】
なお、下側の嵌合部材１７の上面部１７ｂの幅は上側の嵌合部材１６の上面部１６ｂの幅より小さくする（例えば、１５ｍｍ程度）。上側の嵌合部材１６は支持部材１５の上端部にそのまま嵌合して結合ができるが、下側の嵌合部材１７は、支持部材１５の両袖部１ｂの下端部寄り部分を一部切り落とし該切り落とし部１５ｃに対応した窓穴１７ｃを嵌合部材１７の前面部１７ａ側に偏在させた状態で上面部１７ｂの中央部分に設けて、支持部材１５と結合させる（図８を参照）。図中、２６は嵌合連結部材３の上面部３ｂに取り付けた取っ手、２７は嵌合部材１６の上面部１６ａに取り付けた取っ手であって、何れもねじ止めである。
【００２３】
【発明の効果】
本発明は上記の如くであって、戻しばねにより付勢された止めピンの掛け外し操作によりクロージャを上下２箇所にそれぞれ安定させて支持することでき、作業員は共同溝ボックス外の地上側にいてクロージャの接続・分岐作業を安全かつ容易に行なうことが可能であって、共同溝ボックスを小型化できる利点と相俟って、その実用的価値は多大である。
【図面の簡単な説明】
【図１】請求項１の発明の実施の形態を示すもので、（イ）は正面図、（ロ）は側面図である。
【図２】図１に示されている止めピン装置体の斜視図である。
【図３】図１に示されている止めピン装置体の変形例の斜視図である。
【図４】図１の支持部材と下側の連結嵌合部材の結合部を示す図で、該２部材を分離した要部の斜視図である。
【図５】図１のＡ−Ａ線側断面図である。
【図６】止めピン前進時の状態を示す要部の側断面図である。
【図７】請求項２の発明の実施の形態を示すもので、（イ）は正面図、（ロ）は側面図である。
【図８】図７の支持部材と下側の嵌合部材の結合部を示す図で、該２部材を分離した斜視図である。
【図９】図７のＢ−Ｂ線断面図で、クロージャの取り付けを説明する図である。
【図１０】図７の形態の変形例を示すもので、（イ）は正面図、（ロ）は側面図である。
【図１１】図１０の開口部分を示す部分斜視図で、クロージャ側に設けられる支持金物の取り付けを説明する図である。
【図１２】従来の共同溝ボックスにおけるクロージャの支持状態を示す斜視図である。
【符号の説明】
１，１５は支持部材
１ａ，３ａ，４ａ，１５ａ，１６ａ，１７ａは前面部
２は嵌合穴
３，４は連結嵌合部材
５，５′は支持枠
５ａ，５′ａは中央板部
６，６′は戻しばね
７は止めピン
７ａは先端部
７ｂは基端部
９，９′は鍵穴
９ａ，９′ａは掛け止め位置
１０は鍵板
１１は受け金物
１１ａは基部
１２ａは水平板部
１２ｂは袖部
１３は固定部
１３ａ大径部分
１３ｂは小径部分
１６，１７は嵌合部材
１８，２１，２２は開口部
２０，２５は嵌着部
【図１】
2004343979.tif 000003
【図２】
2004343979.tif 000004
【図３】
2004343979.tif 000005
【図４】
2004343979.tif 000006
【図５】
2004343979.tif 000007
【図６】
2004343979.tif 000008
【図７】
2004343979.tif 000009
【図８】
2004343979.tif 000010
【図９】
2004343979.tif 000011
【図１０】
2004343979.tif 000012
【図１１】
2004343979.tif 000013
【図１２】
2004343979.tif 000014